(57)【要約】【課題】ボトム内への風通しを確保しつつ、ボトムの裾の濡れを防ぐことのできるボトム用防水カバーを提供する。【解決手段】ボトム用防水カバー１は、本体部１０、及び固定手段２０を備えている。本体部１０は、筒状をしており、ボトムを覆うように装着される。本体部１０は、防水性を有している。固定手段２０は、本体部１０をボトムの裾に固定する手段である。本体部１０は、本体部１０の下端部がボトムの裾を巻き込むように内側に折り返された状態で、固定手段２０によって裾に固定される。【選択図】図１
2019039133.tif 000002
【特許請求の範囲】
【請求項１】
防水性を有し、ボトムを覆う筒状の本体部と、
前記本体部を前記ボトムの裾に固定する下側固定手段と、を備え、
前記本体部は、当該本体部の下端部が前記裾を巻き込むように内側に折り返された状態で、前記下側固定手段によって前記裾に固定されることを特徴とするボトム用防水カバー。
【請求項２】
請求項１に記載のボトム用防水カバーにおいて、
前記下側固定手段は、前記裾を挟むようにして前記本体部を当該裾に固定するボトム用防水カバー。
【請求項３】
請求項２に記載のボトム用防水カバーにおいて、
前記下側固定手段は、前記裾を挟むように塑性変形することが可能な第１の可塑性部材を有するボトム用防水カバー。
【請求項４】
請求項３に記載のボトム用防水カバーにおいて、
前記第１の可塑性部材は、線状をしており、前記本体部の高さ方向に延在しているボトム用防水カバー。
【請求項５】
請求項４に記載のボトム用防水カバーにおいて、
前記下側固定手段は、複数の前記第１の可塑性部材を有するボトム用防水カバー。
【請求項６】
請求項５に記載のボトム用防水カバーにおいて、
前記複数の第１の可塑性部材は、前記本体部の周方向に沿って等間隔で配設されているボトム用防水カバー。
【請求項７】
請求項４乃至６の何れかに記載のボトム用防水カバーにおいて、
前記第１の可塑性部材の長さは、５ｃｍ以上１５ｃｍ以下であるボトム用防水カバー。
【請求項８】
請求項３乃至７の何れかに記載のボトム用防水カバーにおいて、
前記第１の可塑性部材は、前記本体部の外面に取り付けられているボトム用防水カバー。
【請求項９】
請求項３乃至７の何れかに記載のボトム用防水カバーにおいて、
前記第１の可塑性部材は、前記本体部の内面に取り付けられているボトム用防水カバー。
【請求項１０】
請求項２乃至９の何れかに記載のボトム用防水カバーにおいて、
前記下側固定手段は、前記本体部の上から前記裾を挟むクリップを有するボトム用防水カバー。
【請求項１１】
請求項１乃至１０の何れかに記載のボトム用防水カバーにおいて、
前記ボトムの折目を保護する折目保護手段を備えるボトム用防水カバー。
【請求項１２】
請求項１１に記載のボトム用防水カバーにおいて、
前記折目保護手段は、前記折目を跨ぐように山形に塑性変形することが可能な第２の可塑性部材を有するボトム用防水カバー。
【請求項１３】
請求項１２に記載のボトム用防水カバーにおいて、
前記第２の可塑性部材は、線状をしており、前記本体部の周方向に延在しているボトム用防水カバー。
【請求項１４】
請求項１３に記載のボトム用防水カバーにおいて、
前記折目保護手段は、複数の前記第２の可塑性部材を有するボトム用防水カバー。
【請求項１５】
請求項１４に記載のボトム用防水カバーにおいて、
前記複数の第２の可塑性部材は、前記本体部の高さ方向について複数の箇所に分かれて配設されているボトム用防水カバー。
【請求項１６】
請求項１２乃至１５の何れかに記載のボトム用防水カバーにおいて、
前記第２の可塑性部材は、前記本体部の外面に取り付けられているボトム用防水カバー。
【請求項１７】
請求項１２乃至１５の何れかに記載のボトム用防水カバーにおいて、
前記第２の可塑性部材は、前記本体部の内面に取り付けられているボトム用防水カバー。
【請求項１８】
請求項１乃至１７の何れかに記載のボトム用防水カバーにおいて、
前記本体部の上端部を前記ボトムに固定する上側固定手段を備えるボトム用防水カバー。
【請求項１９】
請求項１８に記載のボトム用防水カバーにおいて、
前記上側固定手段は、前記本体部の前記上端部に取り付けられた伸縮性をもつ紐状部材を有するボトム用防水カバー。
【請求項２０】
請求項１９に記載のボトム用防水カバーにおいて、
前記紐状部材は、ゴム紐であるボトム用防水カバー。
【請求項２１】
請求項１８乃至２０の何れかに記載のボトム用防水カバーにおいて、
前記上側固定手段は、前記本体部の前記上端部に取り付けられた面ファスナーを有するボトム用防水カバー。
【請求項２２】
請求項１乃至２１の何れかに記載のボトム用防水カバーにおいて、
前記本体部は、前記ボトムと同じ色を有するボトム用防水カバー。
【発明の詳細な説明】
【技術分野】
【０００１】
本発明は、ズボンやスカート等のボトムに装着されるボトム用防水カバーに関する。
【背景技術】
【０００２】
従来のボトム用防水カバーとしては、例えば特許文献１に記載されたものがある。同文献に記載された防水カバーは、ズボンやスカート等のボトムに装着される。詳細には、この防水カバーは、ボトムの少なくとも一部分（裾を含む部分）と靴の全体とを覆うように構成されている。これにより、雨天時であっても、ボトムの裾が雨で濡れるのを防ぐことができる。
【先行技術文献】
【特許文献】
【０００３】
【特許文献１】特開２００４−２７５６５６号公報
【発明の概要】
【発明が解決しようとする課題】
【０００４】
しかしながら、上述の防水カバーにおいては、ボトムだけでなく靴までもが覆われるため、ボトムの裾の内側への空気の流入が妨げられてボトム内への風通しが悪くなるという問題がある。かかる風通しの悪さは、ボトム内で脚が蒸れる原因となってしまう。
【０００５】
本発明は、上記課題に鑑みてなされたものであり、ボトム内への風通しを確保しつつ、ボトムの裾の濡れを防ぐことのできるボトム用防水カバーを提供することを目的とする。
【課題を解決するための手段】
【０００６】
本発明によるボトム用防水カバーは、防水性を有し、ボトムを覆う筒状の本体部と、上記本体部を上記ボトムの裾に固定する下側固定手段と、を備え、上記本体部は、当該本体部の下端部が上記裾を巻き込むように内側に折り返された状態で、上記下側固定手段によって上記裾に固定されることを特徴とする。
【０００７】
このボトム用防水カバーにおいては、防水性を有する本体部の下端部がボトムの裾を巻き込むように内側に折り返される。これにより、ボトムの裾の外面から内面にかけて本体部で覆われるため、裾が濡れるのを防ぐことができる。しかも、本体部は、下側固定手段によってボトムの裾に直接固定される。このため、裾と脚との間に、裾の内側への空気の流入経路となる隙間を維持することができる。
【発明の効果】
【０００８】
本発明によれば、ボトム内への風通しを確保しつつ、ボトムの裾の濡れを防ぐことのできるボトム用防水カバーが実現される。
【図面の簡単な説明】
【０００９】
【図１】本発明によるボトム用防水カバーの一実施形態を示す斜視図である。
【図２】図１のボトム用防水カバーを示す正面図である。
【図３】図１のボトム用防水カバーを示す背面図である。
【図４】ボトム用防水カバー１がズボンに装着された状態を示す斜視図である。
【図５】図４の状態におけるズボンの裾と本体部１０との位置関係を表す模式図である。
【図６】ボトム用防水カバー１の効果を説明するための図である。
【図７】ボトム用防水カバー１の変形例を説明するための図である。
【図８】本体部１０の変形例を説明するための図である。
【図９】本体部１０の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明によるボトム用防水カバーの一実施形態を示す斜視図である。また、図２及び図３は、それぞれ、図１のボトム用防水カバーを示す正面図及び背面図である。ボトム用防水カバー１は、ズボンやスカート等のボトムに装着されるボトム用防水カバーであって、本体部１０、固定手段２０（下側固定手段）、固定手段３０（上側固定手段）及び折目保護手段４０を備えている。本実施形態においては、ボトムがズボンである場合を例にとって説明する。
【００１２】
本体部１０は、筒状をしており、ボトムを覆うように装着される。本体部１０は、ボトムの少なくとも一部分（裾を含む部分）を覆うように構成されている。本体部１０の高さ方向（図１乃至図３の上下方向）について、本体部１０の径は、一定であってもよいし、一定でなくてもよい。前者の場合、本体部１０は、円筒状となる。後者の場合、本体部１０は、例えばテーパ状である。本体部１０は、防水性を有している。本体部１０は、柔らかい素材からなる。本体部１０の素材としては、例えば、プラスチック又はゴムを用いることができる。本体部１０は、無色であってもよいし、有色であってもよい。後者の場合、本体部１０は、ボトムと同じ色を有することが好ましい。ボトム用防水カバー１は、１組（２つ）の本体部１０を備えている。ただし、図１乃至図３においては、１つの本体部１０のみを図示している。
【００１３】
固定手段２０は、本体部１０をボトムの裾に固定する手段である。後述するように、本体部１０は、本体部１０の下端部がボトムの裾を巻き込むように内側に折り返された状態で、固定手段２０によって裾に固定される。固定手段２０は、ボトムの裾を挟むようにして本体部１０を裾に固定する。固定手段２０は、可塑性部材２２（第１の可塑性部材）を有している。可塑性部材２２は、本体部１０の下端部に取り付けられている。可塑性部材２２は、本体部１０の外面に取り付けられていてもよいし、本体部１０の内面に取り付けられていてもよい。図１乃至図３においては、可塑性部材２２が本体部１０の外面に取り付けられている場合を示している。
【００１４】
可塑性部材２２は、裾を挟むように塑性変形することが可能である。可塑性部材２２は、線状をしており、本体部１０の高さ方向に延在してる。可塑性部材２２の一端は、本体部１０の下端に達している。可塑性部材２２の長さｄ１（図２参照）は、例えば、５ｃｍ以上１５ｃｍ以下である。また、可塑性部材２２の幅ｄ２は、例えば、２ｍｍ以上１０ｍｍ以下である。可塑性部材２２の材料としては、例えば、金属又はプラスチックを用いることができる。本実施形態において固定手段２０は、複数（具体的には４つ）の可塑性部材２２からなる。これらの可塑性部材２２は、本体部１０の周方向に沿って等間隔で配設されている。
【００１５】
固定手段３０は、本体部１０の上端部をボトムに固定する手段である。固定手段３０は、伸縮性を有する紐状部材３２からなる。紐状部材３２は、本体部１０の上端部に取り付けられている。紐状部材３２の取付けは、例えば、本体部１０の上端部を数ｃｍ程度だけ折り返して袋状にし、その袋状の部分に紐状部材３２を通すことにより行うことができる。紐状部材３２としては、例えばゴム紐を用いることができる。
【００１６】
折目保護手段４０は、ボトムの折目（センタークリース）を保護する手段である。折目保護手段４０は、可塑性部材４２（第２の可塑性部材）を有している。可塑性部材４２は、本体部１０の外面に取り付けられていてもよいし、本体部１０の内面に取り付けられていてもよい。図１乃至図３においては、可塑性部材４２が本体部１０の外面に取り付けられている場合を示している。
【００１７】
可塑性部材４２は、ボトムの折目を跨ぐように山形に塑性変形することが可能である。可塑性部材４２は、線状をしており、本体部１０の周方向に延在している。可塑性部材４２の長さｄ３（図２参照）は、例えば、５ｃｍ以上１０ｃｍ以下である。また、可塑性部材４２の幅ｄ４は、例えば、２ｍｍ以上１０ｍｍ以下である。可塑性部材４２の材料としては、例えば、金属又はプラスチックを用いることができる。本実施形態において折目保護手段４０は、複数（具体的には４つ）の可塑性部材４２からなる。これらの可塑性部材４２は、本体部１０の高さ方向について複数の箇所（具体的には２箇所）に分かれて配設されている。詳細には、固定手段３０の近傍の箇所に２つの可塑性部材４２が設けられるとともに、固定手段２０の近傍の箇所に２つの可塑性部材４２が設けられている。
【００１８】
図４は、ボトム用防水カバー１がズボンに装着された状態を示す斜視図である。また、図５は、図４の状態におけるズボンの裾と本体部１０との位置関係を表す模式図である。これらの図を参照しつつ、ボトム用防水カバー１の装着方法の一例を説明する。まず、図４に示すように、ズボン９２の股下の左右にそれぞれ本体部１０を被せる。このとき、本体部１０の上端が膝上にくるとともに折目保護手段４０がズボン９２の折目９３上にくるように、本体部１０の位置を調整する。
【００１９】
次に、図５に示すように、ズボン９２の裾を巻き込むように本体部１０の下端部を内側に折り返す。その際、同時に、可塑性部材２２を二つ折りにして裾を挟むように塑性変形させる。そうすることにより、本体部１０の下端部が内側に折り返された状態で、本体部１０を裾に固定することができる。なお、図５においては、見やすくするためにズボン９２と本体部１０との間に隙間を空けて描いているが、実際には両者は密着している。
【００２０】
ボトム用防水カバー１の効果を説明する。ボトム用防水カバー１においては、防水性を有する本体部１０の下端部がボトムの裾を巻き込むように内側に折り返される。これにより、ボトムの裾の外面から内面にかけて本体部１０で覆われるため、裾が濡れるのを防ぐことができる。しかも、本体部１０は、固定手段２０によってボトムの裾に直接固定される。このため、裾と脚との間に、裾の内側への空気の流入経路となる隙間を維持することができる。したがって、ボトム内への風通しを確保しつつ、ボトムの裾の濡れを防ぐことのできるボトム用防水カバー１が実現されている。
【００２１】
固定手段２０は、ボトムの裾を挟むようにして本体部１０を裾に固定する。これにより、本体部１０の下端部が裾を巻き込むように内側に折り返された状態を確実に維持しやすくなる。
【００２２】
固定手段２０は、可塑性部材２２を有している。この場合、可塑性部材２２を二つに折り曲げることで裾に対して本体部１０を固定することができるとともに、可塑性部材２２を真っ直ぐに伸ばすことで裾に対する本体部１０の固定を解除することができる。このため、裾に対する本体部１０の固定及びその解除を容易に行うことができる。
【００２３】
可塑性部材２２は、線状をしており、本体部１０の高さ方向に延在している。このように可塑性部材２２を本体部１０の高さ方向に細長くすることにより、可塑性部材２２を裾を挟むように塑性変形させやすくなる。
【００２４】
固定手段２０は、複数の可塑性部材２２を有している。この場合、複数の可塑性部材２２で裾を挟むことができるため、裾に対して本体部１０を安定的に固定するのに有利である。
【００２５】
複数の可塑性部材２２は、本体部１０の周方向に沿って等間隔で配設されている。このように複数の可塑性部材２２をバランス良く配置することにより、多数（概ね７つ以上）の可塑性部材２２を設けなくても、裾に対する本体部１０の固定を効率的に安定化させることができる。
【００２６】
可塑性部材２２が本体部１０の外面に取り付けられている場合、本体部１０の下端部を内側に折り返す際、本体部１０の外側から可塑性部材２２を指で直接摘むことができる。このため、可塑性部材２２を折り曲げる動作を行いやすいという利点がある。
【００２７】
他方、可塑性部材２２が本体部１０の内面に取り付けられている場合、可塑性部材２２が本体部１０の内側に隠れるため、ボトム用防水カバー１の美観を高めるのに有利である。
【００２８】
ボトム用防水カバー１には、本体部１０の上端部をボトムに固定する固定手段３０が設けられている。これにより、本体部１０がボトムからずり落ちにくくなる。ただし、固定手段３０を設けることは、必須でない。
【００２９】
固定手段３０は、伸縮性をもつ紐状部材３２を有している。このため、ボトムに本体部１０を被せるだけで、紐状部材３２の収縮力が働いて本体部１０の上端部をボトムに自動的に固定することができる。
【００３０】
ボトム用防水カバー１には、ボトムの折目を保護する折目保護手段４０が設けられている。このため、本体部１０で圧迫されることによりボトムの折目が消えてしまう事態を回避することができる。ただし、折目保護手段４０を設けることは、必須でない。
【００３１】
ところで、ボトムの折目は、濡れたときに特に消えやすくなる。この点、ボトム用防水カバー１においては、本体部１０により折目の濡れが防止されるとともに、折目保護手段４０により折目に対する圧迫も防止される。このように折目を保護するために二重の対策が施されているため、折目が消える事態を回避するのに特に有利である。
【００３２】
折目保護手段４０は、可塑性部材４２を有している。このため、図６に示すように、折目９３を跨ぐように可塑性部材４２を折り曲げて塑性変形させることにより、本体部１０と折目９３との間に隙間を設けることができる。同図は、本体部１０の高さ方向から見た図である。これにより、折目９３が本体部１０で圧迫されるのを防ぐことができる。このように可塑性部材４２を用いることにより、簡易な構成で、折目保護手段４０を実現することができる。
【００３３】
可塑性部材４２は、線状をしており、本体部１０の周方向に延在している。このように可塑性部材４２を本体部１０の周方向に細長くすることにより、可塑性部材４２を折目を跨ぐように塑性変形させやすくなる。
【００３４】
折目保護手段４０は、複数の可塑性部材４２を有している。この場合、複数の可塑性部材４２で折目を保護することができるため、可塑性部材４２が１つしか設けられていない場合に比して、より効果的に折目を保護することができる。
【００３５】
複数の可塑性部材４２は、本体部１０の高さ方向について複数の箇所に分かれて配設されている。この場合、１本の折目を複数の可塑性部材４２で保護することができるため、可塑性部材４２が本体部１０の高さ方向について１箇所にしか設けられていない場合に比して、より効果的に折目を保護することができる。
【００３６】
可塑性部材４２が本体部１０の外面に取り付けられている場合、本体部１０の外側から可塑性部材４２を指で直接摘むことができる。このため、可塑性部材４２を折り曲げる動作を行いやすいという利点がある。
【００３７】
他方、可塑性部材４２が本体部１０の内面に取り付けられている場合、可塑性部材４２が本体部１０の内側に隠れるため、ボトム用防水カバー１の美観を高めるのに有利である。
【００３８】
本体部１０がボトムと同じ色を有する場合、本体部１０を目立ちにくくし、ボトム用防水カバー１の装着による視覚的な違和感を軽減することができる。  
【００３９】
本発明は、上記実施形態に限定されるものではなく、様々な変形が可能である。上記実施形態において固定手段２０は、可塑性部材２２に代えて、あるいは可塑性部材２２と共に、本体部１０の上からボトムの裾を挟むクリップを有していてもよい。その場合、クリップの付勢力により、裾に対する本体部１０の固定を強化することができる。
【００４０】
上記実施形態において固定手段３０は、紐状部材３２に代えて、あるいは紐状部材３２と共に、本体部１０の上端部に取り付けられた面ファスナーを有していてもよい。その場合、面ファスナーのフックとループとの位置関係を変えることにより、脚の太さに応じてフレキシブルに本体部１０の上端部の径（周長）を調整することができる。
【００４１】
上記実施形態においては、ボトムがズボンである場合を例示した。しかし、図７に示すように、ボトムは、スカート９４であってもよい。同図においては、スカート９４の大部分が本体部１０で覆われている。本体部１０は、その高さ方向の下方に向かうにつれて次第に径が大きくなるテーパ状をしている。この場合も、本体部１０は、その下端部がスカート９４の裾を巻き込むように内側に折り返された状態で、固定手段２０によって裾に固定されている。
【００４２】
上記実施形態においては、本体部１０が予め筒状に形成されており、本体部１０の径が不変である場合を例示した。しかし、本体部１０は、径が可変であるように構成されていてもよい。かかる本体部１０は、例えば図８に示すように、面ファスナー１２が設けられた矩形状のシート１０ａによって構成することができる。同図においては、シート１０ａの左端に沿ってフック１２ａが設けられるとともに、右端に沿ってループ１２ｂが設けられている。フック１２ａ及びループ１２ｂは、それぞれ、シート１０ａの内面及び外面に取り付けられている。使用時には、図９に示すように、シート１０ａを丸めて筒状にすればよい。このとき、フック１２ａとループ１２ｂとの位置関係を変えることにより、本体部１０の径を調整することができる。
【符号の説明】
【００４３】
１  ボトム用防水カバー
１０  本体部
１０ａ  シート
１２  面ファスナー
１２ａ  フック
１２ｂ  ループ
２０  固定手段（下側固定手段）
２２  可塑性部材（第１の可塑性部材）
３０  固定手段（上側固定手段）
３２  紐状部材
４０  折目保護手段
４２  可塑性部材（第２の可塑性部材）
９２  ズボン
９３  折目
９４  スカート
【図１】
2019039133.tif 000003
【図２】
2019039133.tif 000004
【図３】
2019039133.tif 000005
【図４】
2019039133.tif 000006
【図５】
2019039133.tif 000007
【図６】
2019039133.tif 000008
【図７】
2019039133.tif 000009
【図８】
2019039133.tif 000010
【図９】
2019039133.tif 000011